(57)【要約】【目的】  広告観者であるユーザの携帯デバイスを広告を見たその場で使用させ、携帯デバイス毎に広告関連情報を別途一括してプールし、必要時にユーザの情報端末にプール情報を取り込んで表示させることで、広告関連情報を広告観者へ簡便に且つ効率良く提供することのできる情報提供システム及び情報提供方法を提供する。【構成】  広告媒体（２）側に設けられた媒体側装置（３）により、ユーザの携帯デバイス（１）のデバイスＩＤを読み取り、それに対応するグローバルＩＤをユーザに出力する一方で、グローバルＩＤと広告関連情報とを別途構築された情報プールサーバ（４）にて蓄積しておき、ユーザの情報端末（５）からグローバルＩＤが送られてきた際にそれに対応する広告関連情報を情報端末（４）に返信する。【選択図】  図１
2005309875.tif 000002
【特許請求の範囲】
【請求項１】
広告媒体に表示されている広告に関連する広告関連情報をユーザに提供する情報提供システムであって、
媒体側装置および情報プールサーバを備え、
媒体側装置は、ユーザの携帯デバイスに予め記録されているデバイスＩＤを読み取り、該デバイスＩＤに対応するグローバルＩＤをユーザに出力し、
情報プールサーバは、媒体側装置によりデバイスＩＤが読み取られた際に前記グローバルＩＤと広告関連情報とを互いに対応付けて記憶し、ユーザの情報端末からグローバルＩＤが送られてきた際に該グローバルＩＤに対応する広告関連情報を情報端末に返信する
ことを特徴とする情報提供システム。
【請求項２】
媒体側装置は、グローバルＩＤを、携帯デバイスに貼り付けるまたはユーザの身体に取り付けるようにして、ユーザに出力する
ことを特徴とする請求項１記載の情報提供システム。
【請求項３】
広告媒体に表示されている広告に関連する広告関連情報を情報プールサーバを介してユーザに提供するための媒体側装置であって、
ユーザの携帯デバイスに予め記録されているデバイスＩＤを読み取り、該デバイスＩＤに対応するグローバルＩＤをユーザに出力する
ことを特徴とする媒体側装置。
【請求項４】
グローバルＩＤを、携帯デバイスに貼り付けるまたはユーザの身体に取り付けるようにして、ユーザに出力する
ことを特徴とする請求項３記載の媒体側装置。
【請求項５】
広告媒体に表示されている広告に関連する広告関連情報をユーザに提供する情報プールサーバであって、
媒体側装置によりユーザの携帯デバイスに予め記録されているデバイスＩＤが読み取られた際に該デバイスＩＤに対応するグローバルＩＤと広告関連情報とを互いに対応付けて蓄積し、ユーザの情報端末からグローバルＩＤが送られてきた際に該グローバルＩＤに対応する広告関連情報を情報端末に返信する
ことを特徴とする情報プールサーバ。
【請求項６】
広告媒体に表示されている広告に関連する広告関連情報をユーザに提供する情報提供方法であって、
媒体側装置により、ユーザの携帯デバイスに予め記録されているデバイスＩＤを読み取り、該デバイスＩＤに対応するグローバルＩＤをユーザに出力し、
情報プールサーバにより、媒体側装置によりデバイスＩＤが読み取られた際に前記グローバルＩＤと広告関連情報とを互いに対応付けて蓄積し、ユーザの情報端末からグローバルＩＤが送られてきた際に該グローバルＩＤに対応する広告関連情報を情報端末に返信する
ことを特徴とする情報提供方法。
【請求項７】
媒体側装置により、グローバルＩＤを、携帯デバイスに貼り付けるまたはユーザの身体に貼り付けるようにして、ユーザに出力する
ことを特徴とする請求項６記載の情報提供方法。
【発明の詳細な説明】
【技術分野】
【０００１】
この出願の発明は、公共空間に設置された広告媒体に表示されている広告に関連する各種情報をユーザに提供する情報提供システム、媒体側装置および情報プールサーバならびに情報提供方法に関するものである。
【背景技術】
【０００２】
駅構内や建物内、乗物内、市街地等に設置されたポスターや掲示板、大型ディスプレイ等の広告媒体には様々な広告（告知を含む。以下同じ）が表示されているが、それを見た広告観者は、広告に関するより詳細な情報を知りたいと思うことがしばしばある。
【特許文献１】特開２００２−３２４０２１号公報
【発明の開示】
【発明が解決しようとする課題】
【０００３】
この場合に広告関連情報を広告観者へ簡便に且つ効率良く提供するには、広告観者であるユーザが携帯している磁気カードやＩＣ（Integrated Circuit）カード、携帯電話、ＰＤＡ（Personal
Digital Assistant）等の携帯デバイスを広告を見たその場で使用させ、携帯デバイス毎に識別番号等のグローバルＩＤを割り当ててそのグローバルＩＤ毎に広告関連情報を別途一括してプールし、必要時にユーザが使用するコンピュータ等の情報端末にグローバルＩＤを入力させ、それに対応したプール情報を取り込んで表示させることが効果的であると考えられる。
【０００４】
しかしながら、従来、このような情報提供を可能にする技術は何等実現されていない。
【０００５】
たとえば上記特許文献１では、広告詳細情報や広告詳細情報が提供されているホームページのＵＲＬ(Uniform Resource Locator)等の広告関連情報を蓄積したＲＦ−ＩＤ（Radio
Frequency-Identification）タグを広告媒体に付加し、ユーザの携帯デバイスにはＲＦ−ＩＤリーダを設けることで、タグとリーダとの無線送受信によって携帯デバイス自体に広告関連情報を取得できるようにしたシステムが提案されているものの、上記情報提供とは全く別異の発想であって、それを可能にする技術思想は何等開示されていない。
【０００６】
そこで、以上のとおりの事情に鑑み、この出願の発明は、広告観者であるユーザの携帯デバイスを広告を見たその場で使用させ、携帯デバイス毎にグローバルＩＤを割り当ててそのグローバルＩＤ毎に広告関連情報を別途一括してプールし、必要時にユーザの情報端末にグローバルＩＤに対応したプール情報を取り込んで表示させることで、広告関連情報を広告観者へ簡便に且つ効率良く提供することのできる情報提供システム、媒体側装置および情報プールサーバならびに情報提供方法を提供することを課題としている。
【課題を解決するための手段】
【０００７】
この出願の発明は、上記の課題を解決するものとして、第１には、広告媒体に表示されている広告に関連する広告関連情報をユーザに提供する情報提供システムであって、媒体側装置および情報プールサーバを備え、媒体側装置は、ユーザの携帯デバイスに予め記録されているデバイスＩＤを読み取り、該デバイスＩＤに対応するグローバルＩＤをユーザに出力し、情報プールサーバは、媒体側装置によりデバイスＩＤが読み取られた際に前記グローバルＩＤと広告関連情報とを互いに対応付けて記憶し、ユーザの情報端末からグローバルＩＤが送られてきた際に該グローバルＩＤに対応する広告関連情報を情報端末に返信することを特徴とする情報提供システムを提供する。
【０００８】
第２には、媒体側装置は、グローバルＩＤを、携帯デバイスに貼り付けるまたはユーザの身体に取り付けるようにして、ユーザに出力することを特徴とする前記情報提供システムを提供する。
【０００９】
第３には、広告媒体に表示されている広告に関連する広告関連情報を情報プールサーバを介してユーザに提供するための媒体側装置であって、ユーザの携帯デバイスに予め記録されているデバイスＩＤを読み取り、該デバイスＩＤに対応するグローバルＩＤをユーザに出力することを特徴とする媒体側装置を提供する。
【００１０】
第４には、グローバルＩＤを、携帯デバイスに貼り付けるまたはユーザの身体に取り付けるようにして、ユーザに出力することを特徴とする前記媒体側装置を提供する。
【００１１】
第５には、広告媒体に表示されている広告に関連する広告関連情報をユーザに提供する情報プールサーバであって、媒体側装置によりユーザの携帯デバイスに予め記録されているデバイスＩＤが読み取られた際に該デバイスＩＤに対応するグローバルＩＤと広告関連情報とを互いに対応付けて蓄積し、ユーザの情報端末からグローバルＩＤが送られてきた際に該グローバルＩＤに対応する広告関連情報を情報端末に返信することを特徴とする情報プールサーバを提供する。
【００１２】
第６には、広告媒体に表示されている広告に関連する広告関連情報をユーザに提供する情報提供方法であって、媒体側装置により、ユーザの携帯デバイスに予め記録されているデバイスＩＤを読み取り、該デバイスＩＤに対応するグローバルＩＤをユーザに出力し、情報プールサーバにより、媒体側装置によりデバイスＩＤが読み取られた際に前記グローバルＩＤと広告関連情報とを互いに対応付けて蓄積し、ユーザの情報端末からグローバルＩＤが送られてきた際に該グローバルＩＤに対応する広告関連情報を情報端末に返信することを特徴とする情報提供方法を提供する。
【００１３】
第７には、媒体側装置により、グローバルＩＤを、携帯デバイスに貼り付けるまたはユーザに貼り付けるようにして、ユーザに出力することを特徴とする前記情報提供方法を提供する。
【発明の効果】
【００１４】
上記第１の情報提供システムによれば、広告媒体側に設けられている媒体側装置にて、ユーザが持ち歩いている携帯デバイスのデバイスＩＤを読み取り、それに対応したグローバルＩＤをユーザに出力し、一方で情報プールサーバではグローバルＩＤと広告関連情報とを互いに対応付けて蓄積しておき、そして後日、ユーザが使用する情報端末にてグローバルＩＤが入力されて情報プールサーバへ送られた際に、情報プールサーバにてグローバルＩＤに対応する広告関連情報を情報端末へ返信することで、広告観者であるユーザへの広告関連情報の提供を実現することができる。
【００１５】
これにより、駅広告や街頭広告、社内告知等の広告をユーザが見て、関連する詳細情報をもっと欲しいと思った際に、その場で持ち歩いているカードや携帯電話等に記録されているデバイスＩＤを読み取らせるだけで、広告関連情報をプールさせておくことができ、しかも一つの広告だけでなく、複数の広告についての広告関連情報をも一括してプールさせておくことができる。そしてデバイスＩＤ読取時に受け取ったグローバルＩＤを別途コンピュータやＰＤＡ等に入力させるだけで、プールしてある広告関連情報を取り込むことができる。したがって、たとえば、外出先で興味のある広告を見つける度に好きなだけその情報をプールしておき、家に帰ってからコンピュータで詳細情報をゆっくり見たり読んだりできるのである。
【００１６】
このようにして、広告関連情報を広告観者へ簡便に且つ効率良く提供でき、ユーザがメールアドレスなどの個人情報を一切開示することなく、いわゆるone to oneのサービスを受けることができる。
【００１７】
上記第２の情報提供システムによれば、上記第１の情報提供システムと同様な効果が得られる。また、デバイスＩＤを読み取った際に出力するグローバルＩＤについて、紙で出力してユーザに持ち帰らせたり、ディスプレイに表示してユーザにメモ書きさせたりすることもできるが、それでは取り忘れや書き忘れが発生する恐れが考えられる。そこで、グローバルＩＤを、携帯デバイスに貼り付けるまたはユーザの身体に取り付ける形態でユーザに出力することで、より的確にユーザへグローバルＩＤを提示できるようにもなる。より具体的には、たとえば、グローバルＩＤを印字したシールを携帯デバイスに貼り付けたりユーザの腕や手などに貼り付けたり、あるいはグローバルＩＤを表示したバンド状の物をユーザの腕に巻き付けたりすることで、取り忘れを防ぐことができ、それと同時に他の人が間違えて持っていってしまうというリスクも低減することができる。グローバルＩＤがないとせっかくプールした情報を取り出すことができなくなるので、グローバルＩＤの取り忘れ防止効果のあるこれら様々な出力形態は極めて有用である。
【００１８】
上記第３〜第４の媒体側装置によれば、上記第１〜第２の情報提供システムと同様な効果を得ることのできる広告媒体側に設置される装置が実現される。
【００１９】
上記第５の情報プールサーバによれば、上記第１の情報提供システムと同様な効果を得ることのできる別途構築されるサーバが実現される。
【００２０】
上記第６〜第７の情報提供方法によれば、上記第１〜第２の情報提供システムと同様な効果を得ることのできる方法が実現される。
【発明を実施するための最良の形態】
【００２１】
以下、この出願の発明の一実施形態について、図１〜図４を適宜参酌しながら説明する。図１〜図３はシステム構成図、図４はフローチャートである。
【００２２】
この実施形態において、まず、ポスターや大型ディスプレイ、掲示板等の広告媒体（２）には媒体側装置（３）が設けられており、それとは別に情報プールサーバ（４）が構築されている（図１参照）。
【００２３】
媒体側装置（３）は、少なくともＩＤ読取部（３１）およびＩＤ出力部（３２）を有し（図２参照）、情報プールサーバ（４）との間でデータ通信が可能な装置である。
【００２４】
ＩＤ読取部（３１）は、ユーザの携帯デバイス（１）に予め記録されているデバイスＩＤを読み取るものであり、たとえば、携帯デバイス（１）が磁気カードの場合では磁気カードリーダ、ＩＣカードの場合ではＩＣカードリーダ、ＲＦ−ＩＤタグの場合ではタグリーダ、携帯電話やＰＤＡの場合ではそれらとの間で無線通信や光通信が可能な通信機器などを考慮できる。
【００２５】
デバイスＩＤについては、携帯デバイス（１）の種類によって異なるが、磁気記録やメモリ記録されているカード番号や識別番号などを対象とする。
【００２６】
ＩＤ出力部（３２）は、ＩＤ読取部（３１）によりデバイスＩＤが読み取られた際に、そのデバイスＩＤに対応したグローバルＩＤをユーザに対して出力するものであり、たとえば、グローバルＩＤを紙に印刷して持ち帰らせたり、グローバルＩＤを表示してメモ書
きさせたりする態様を考慮できるが、グローバルＩＤを印字したシールであるグローバルＩＤシールを携帯デバイス（１）に貼り付けたりユーザの腕や手などの身体に貼り付ける、あるいはグローバルＩＤを表示したバンドをユーザの腕などの身体に貼り付けるなど、グローバルＩＤの取忘れを効果的に防ぐことのできる出力形態が好ましく、前者の場合にはシールスタンパとも呼べるシールの自動貼付が可能な装置、後者の場合にはバンドの自動巻付が可能な装置などとすることができる。なお、これら装置の機構や形状・外観等の具体的構成については、自動貼付や自動巻付が可能である限り、特に限定されないことは言うまでもない。
【００２７】
グローバルＩＤについては、たとえば、デバイスＩＤが読み取られた際に媒体側装置（３）内で生成するようにしても、また、デバイスＩＤを一旦情報プールサーバ（５）に送り、情報プールサーバ（５）にて対応するグローバルＩＤを作成して媒体側装置（３）に送り返すようにしてもよい。いずれの場合にも、媒体側装置（３）または情報プールサーバ（５）にて、メインメモリ等の記憶部に記憶されているグローバルＩＤ生成プログラムの指令を受けたＣＰＵ等の処理部により自動生成させるようにシステム構築できる。
【００２８】
また、グローバルＩＤは、一度ある携帯デバイス（１）に割り当てた後は、同じ携帯デバイス（１）を使用し続ける限り、またはユーザが別のグローバルＩＤの割り当てを要求しない限り、有効なものとして残るので、グローバルＩＤの生成やグローバルＩＤシールの貼付も、既にグローバルＩＤが割り当てられている携帯デバイス（１）に対しては実行しないようにシステム構築してもよい。たとえば、ある携帯デバイス（１）のデバイスＩＤを媒体側装置（３）が読み取った際に最初に生成されたグローバルＩＤをデバイスＩＤとともに情報プールサーバ（４）に記憶させておき（グローバルＩＤが媒体側装置（３）で生成される場合にはデバイスＩＤとともにグローバルＩＤを情報プールサーバ（４）に送信する）、それ以降同じデバイスＩＤが同じまたは別の媒体側装置（３）により読み取られても、対応するグローバルＩＤが情報プールサーバ（４）に残っている場合には、情報プールサーバ（４）から媒体側装置（３）に生成不要や貼付不要を表す指示データを送ることで、不要なグローバルＩＤの生成や貼り付けを行わないように媒体側装置（３）を制御できる。この場合、読み取られたデバイスＩＤはその都度情報プールサーバ（４）に送られるが、デバイスＩＤとグローバルＩＤとを、広告関連情報とともに情報プールサーバ（４）で一括管理できるので、好ましいシステム構成である。
【００２９】
情報プールサーバ（４）とのデータ通信は、無線通信でも有線通信でもよく、これを可能にする通信部や処理部、記憶部等を具備していることは言うまでもない。
【００３０】
以上の媒体側装置（３）の設置については、少なくともＩＤ読取部（３１）およびＩＤ出力部（３２）を、ＩＤ読取およびＩＤ出力が可能で、且つ広告観者であるユーザが利用し易いように設置すればよく、ユーザが直接使用することのない通信部等やそれを内蔵した筐体の設置態様は特に限定されない。たとえば、ＩＤ読取部（３１）およびＩＤ出力部（３２）を広告媒体（２）の表示面に取り付ける、広告媒体（２）の枠体に取り付ける、広告媒体（２）の近傍に取り付けるなどといった様々な設置態様を考慮でき、ユーザにとって利用し易いことが好ましい。
【００３１】
また、これらＩＤ読取部（３１）およびＩＤ出力部（３２）は別体型としても一体型としてもよく、それぞれのタイプに応じて設置態様も様々に選択できる。
【００３２】
情報プールサーバ（４）は、少なくともデータベース（４１）を有し（図２参照）、媒体側装置（３）およびユーザの情報端末（５）との間でデータ通信が可能なサーバである。
【００３３】
データベース（４１）は、媒体側装置（３）によりデバイスＩＤが読み取られた際に、そのデバイスＩＤに対応したグローバルＩＤと広告関連情報とを互いに対応付けて蓄積する。
【００３４】
広告関連情報は、デバイスＩＤを読み取った媒体側装置（３）が設置されている広告媒体（１）に表示されている広告に関連する情報である。たとえば、媒体側装置（３）に広告関連情報が予め記憶されており、デバイスＩＤ読取時に広告関連情報が情報プールサーバ（４）にネットワークを介して送信されて、グローバルＩＤとともにデータベース（４１）に蓄積される。または、予め広告媒体（１）固有のもしくは媒体側装置（３）固有の識別番号等の広告ＩＤが設定されて媒体側装置（３）に記憶され、一方情報プールサーバ（４）では予め広告ＩＤと広告関連情報が対応付けてデータベース（４１）や別途のデータベースに蓄積されており、デバイスＩＤ読取時に広告ＩＤが情報プールサーバ（４）にネットワークを介して送られ、情報プールサーバ（４）にてその広告ＩＤに対応する広告関連情報が検索されてグローバルＩＤとともにデータベース（４１）に蓄積される。
【００３５】
なお、デバイスＩＤ（ＤＩＤ）とグローバルＩＤ（ＧＩＤ）とは一対一の関係にあり、グローバルＩＤと広告関連情報とは一対多の関係にあると言える（図２参照）。
【００３６】
以上の媒体側装置（３）および情報プールサーバ（４）を備えた情報提供システムにおいては、まず、媒体側装置（３）にて、ユーザの携帯デバイス（１）に記録されているデバイスＩＤを読み取り（ステップＳ１０１。図４参照）、それに対応したグローバルＩＤをユーザに出力し（ステップＳ１０２）、一方で情報プールサーバ（４）にて、グローバルＩＤと広告関連情報とを互いに対応付けて蓄積しておく（ステップＳ１０３）。そして、ユーザが使用する情報端末（５）にてグローバルＩＤが入力されて情報プールサーバ（４）へ送られた際に、情報プールサーバ（４）にてグローバルＩＤに対応する広告関連情報を蓄積情報の中から検索し読み出して、情報端末（５）へ返信することで（ステップＳ１０４）、広告観者であるユーザへの広告関連情報の提供が実現される。
【００３７】
ユーザの情報端末（５）は、少なくともＩＤ入力部（５１）および情報表示部（５２）を有し、情報プールサーバ（４）との間でデータ通信が可能なコンピュータ等の端末である。
【００３８】
ＩＤ入力部（５１）は、数字や符号で成るグローバルＩＤを入力可能なキーボードやマウスなどを考慮でき、情報表示部（５２）は、広告関連情報を表示可能なディスプレイなどを考慮できる。
【００３９】
情報プールサーバ（４）とのデータ通信は、無線通信でも有線通信でもよく、これを可能にする通信部や処理部、記憶部等を具備していることは言うまでもなく、もちろん処理部によってグローバルＩＤの入力・送信処理や広告関連情報の受信・表示処理が実行される。
【００４０】
図３の一実施形態では、携帯デバイス（１）がカード（１ａ）である場合を想定し、ＩＤ読取部（３１）がカードリーダ（３１ａ）、ＩＤ出力部（３２）がシールスタンパ（３２ａ）となっている。
【００４１】
これにおいて、広告観者が、外出先で見つけた広告に興味を持ち、その詳しい情報を知りたいと思ったときに、持っているカード（１ａ）をカードリーダ（３１ａ）に挿入したりかざしたりしてデバイスＩＤに相当するカード番号を読み取らせると、シールスタンパ（３２ａ）によって自動的にカード（１ａ）の表面にグローバルＩＤシール（１１）が貼り付けられる。このとき、媒体側装置（３）と情報プールサーバ（４）との間では、カー
ド番号、グローバルＩＤおよび広告関連情報に関わる前述した処理が実行されて、逐次広告関連情報がプールされる。
【００４２】
その後、広告観者が、グローバルＩＤシール（１１）が貼られているカード（１ａ）を持ち帰り、家のコンピュータ（５ａ）にてグローバルＩＤシール（１１）に印字されているグローバルＩＤを入力して情報プールサーバ（４）に送信すると、情報プールサーバ（３）からプールしてあった広告関連情報が返信されてくる。
【００４３】
これにより、広告観者は、外出先で興味を持った広告に関する情報を家で見ることができ、しかもこれをカード（１ａ）を持ち歩いているだけで実現できる。
【００４４】
なお、このカード（１ａ）は、カード番号を保持しており、カードリーダ（３１ａ）でそれを読み取ることのできるものであればよいため、普段使用している乗物用カードや店舗用カードを流用できる。これによれば、ユーザは、駅構内で広告を見つけたその場で、普段駅改札を通る際に使っている乗物用カードをカードリーダ（１ａ）にかざすなどするだけでよく、何等特別なカードを購入することなく、本システムを利用できるのである。
【００４５】
もちろん、この出願の発明は以上の実施形態に限定されるものではなく、細部については様々な態様が可能である。
【図面の簡単な説明】
【００４６】
【図１】この出願の発明の一実施形態について説明するためのシステム構成図
【図２】この出願の発明の一実施形態について説明するための機能ブロック図
【図３】この出願の発明の一実施形態について説明するためのシステム構成図
【図４】この出願の発明の一実施形態について説明するためのフローチャート
【符号の説明】
【００４７】
１  携帯デバイス
１ａ  カード
１１  グローバルＩＤシール
２  広告媒体
３  媒体側装置
３１  ＩＤ読取部
３１ａ  カードリーダ
３２  ＩＤ出力部
３２ａ  カードスタンパ
４  情報プールサーバ
４１  データベース
５  情報端末
５１  ＩＤ入力部
５２  表示部
【図１】
2005309875.tif 000003
【図２】
2005309875.tif 000004
【図３】
2005309875.tif 000005
【図４】
2005309875.tif 000006